(57)【要約】【課題】釘調整の形跡を遊技者に分かり難くし、もって遊技者の釘読みに対する興趣を喚起し得るパチンコ遊技機を提供する。【解決手段】パチンコ遊技機は、遊技盤の遊技領域に、役物及び入賞口が設けられているとともに、遊技盤の盤面に対し複数本の障害釘１１が植設されてなる。そして、上記各障害釘を、いずれも軸部１１ａの中心線Ｓ２に対し頭部１１ｂが偏心して構成する。好ましくは、入賞口の直上に遊技球の直径よりも僅かに大きい間隔を隔てて植設された２本の障害釘を、頭部の偏心方向が上記入賞口の中心を通る垂直な仮想線を挟んで互いに反対の外向き又は内向きにして設ける。また、遊技球の直径よりも遙かに小さい間隔を有しかつ等間隔に並んで植設された複数本の障害釘を、いずれも頭部の偏心方向を同一にして設ける。【選択図】図２
2007301108.tif 000002
【特許請求の範囲】
【請求項１】
遊技盤の遊技領域に、役物及び入賞口が設けられているとともに、遊技盤の盤面に対し複数本の障害釘が植設されてなるパチンコ遊技機において、
上記各障害釘は、いずれも軸部の中心線に対し頭部が偏心してなることを特徴とするパチンコ遊技機。
【請求項２】
上記複数本の障害釘のうち、入賞口の直上に遊技球の直径よりも僅かに大きい間隔を隔てて植設された２本の障害釘は、頭部の偏心方向が上記入賞口の中心を通る垂直な仮想線を挟んで互いに反対の外向き又は内向きに設けられている請求項１記載のパチンコ遊技機。
【請求項３】
上記複数本の障害釘のうち、遊技球の直径よりも遙かに小さい間隔を有しかつ等間隔に並べて植設された障害釘は、いずれも頭部の偏心方向が同一に設けられている請求項１又は２記載のパチンコ遊技機。
【請求項４】
上記各障害釘の頭部の下面には、遊技盤の盤面への打ち込み時に障害釘の頭部の偏心方向を制御するための突条部が軸部の外周から頭部の偏心方向に向かって延設されている請求項１ないし請求項３のいずれか一つに記載のパチンコ遊技機。
【発明の詳細な説明】
【技術分野】
【０００１】
本発明は、パチンコ遊技機に関し、特に遊技盤の盤面に植設される障害釘に係わる。
【背景技術】
【０００２】
従来、パチンコ遊技機の障害釘は、発射装置から遊技盤の遊技領域と前面ガラスとの間の遊技空間に発射された遊技球と衝突して、その飛行方向を変化させたり、複数本を遊技球の直径よりも遙かに小さい間隔で線上に並べて遊技盤上に植設することで遊技球を所定の方向に導いたり、あるいは入賞口の直上に遊技球の直径よりも僅かに大きい間隔で２本並列に又は３本三角形状に配列して植設することで入賞口への遊技球の入賞確率を調整したりする目的で使用されている。
【０００３】
そして、このような障害釘としては、例えば図７に示すように、従来周知の丸頭釘と同様な形態、つまり先端を尖らせた軸部ａの基端に略半球形の頭部ｂを軸部ａと軸心を合わせて一体形成してなるものが一般的である。また、特許文献１に開示されているように、遊技盤に障害釘を打ち込んで植設したときの抜け防止のために軸部ａの尖った先端部ａ１に続く部位ａ２にねじ部を設けたものも知られている。
【０００４】
ところで、パチンコ遊技機のメーカーにおいては、例えば特許文献２に開示しているようなコンピュータ制御のＮＣ自動釘打ち機を使用して、複数本の障害釘を遊技盤の遊技領域に予めプログラムで定められた配列やピッチで正確に打ち付けて植設している。その後、電動役物やレールなどの部品を取り付けた遊技盤は、パチンコ遊技機の遊技盤保持枠に組み込まれた後、裏面側に球供給機構や各種の電子制御機器が取り付けられ、厳格な検査の後に製品として出荷される。
【０００５】
一方、遊技場（パチンコホール）においては、パチンコ遊技機を遊技島に並べて設置した後、複数のパチンコ遊技機に対し、いわゆる釘調整という作業を行うことがある。この釘調整は、パチンコ遊技機毎に障害釘の傾きに若干のバラツキがあり、また役物の形状にも多少のバラツキがあり、これらが総合して遊技球の飛び方に影響するため、これを是正することなどを目的として行われるものである。この釘調整の良し悪しは、入賞確率にも影響することから、遊技者は、パチンコ遊技機毎に障害釘、特に入賞口の直上に植設されたいわゆる命釘などの傾きや間隔を目測により克明に観察し、釘調整の良し悪しを判断して好みの遊技機を選択している。このことは、釘読みと通称され、パチンコ遊技の一つの技術介入的な興趣にもなっている。
【特許文献１】特開２００５−２５４０２０号公報
【特許文献２】特開平１０−１７９８５５号公報
【発明の開示】
【発明が解決しようとする課題】
【０００６】
しかしながら、上記従来の障害釘は、その軸部ａと頭部ｂとが互いに中心線を共有した形態になっているため、障害釘の頭部ｂの間隔や配列によって釘調整の状態が正面からでも一目瞭然であり、その良し悪しが遊技者によって容易に見抜かれるという問題がある。
【０００７】
本発明はかかる点に鑑みてなされたものであり、その課題とするところは、障害釘の形態を変更することにより、釘調整の形跡を遊技者に分かり難くし、もって遊技者の釘読みないし遊技機選択に対する興趣を喚起し得るパチンコ遊技機を提供せんとするものである。
【課題を解決するための手段】
【０００８】
上記の課題を解決するため、請求項１に係る発明は、パチンコ遊技機として、遊技盤の遊技領域に、役物及び入賞口が設けられているとともに、遊技盤の盤面に対し複数本の障害釘が植設されてなることを前提とする。そして、上記各障害釘を、いずれも軸部の中心線に対し頭部が偏心する構成にする。
【０００９】
この構成では、遊技盤の遊技領域に植設された障害釘の頭部が軸部の中心線に偏心しているため、障害釘の頭部の間隔や配列を正面から見るだけでは障害釘の軸部の間隔や配列によって定まる釘調整の状態を適切に判断することはできず、その分遊技者は釘調整の状態を適切に判断しようと却って釘読みに興趣を持つことになる。
【００１０】
請求項２に係る発明は、請求項１記載のパチンコ遊技機において、上記複数本の障害釘のうち、入賞口の直上に遊技球の直径よりも僅かに大きい間隔を隔てて植設された２本の障害釘（いわゆる命釘）を、頭部の偏心方向が上記入賞口の中心を通る垂直な仮想線を挟んで互いに反対の外向き又は内向きにして設ける構成にする。この構成では、入賞口の直上に植設された２本の命釘の頭部の偏心方向が入賞口の中心を通る垂直な仮想線を挟んで互いに反対の外向きの場合と内向きの場合とでは実質上の命釘の間隔（軸部の間隔）が同じでも見かけ上の命釘の間隔（頭部の間隔）が著しく異なって見えるため、命釘の間隔が入賞口への遊技球の入賞確率に影響があることと相俟って遊技者の釘読みに対する興趣をより高めることになる。
【００１１】
請求項３に係る発明は、請求項１又は２記載のパチンコ遊技機において、上記複数本の障害釘のうち、遊技球の直径よりも遙かに小さい間隔を有しかつ等間隔に並べて植設された障害釘を、いずれも頭部の偏心方向が同一にして設ける構成にする。この構成では、遊技球の直径よりも遙かに小さい間隔を有しかつ等間隔に並べで植設された複数本の障害釘が、いずれも頭部の偏心方向を同一にして設けられているため、それらの頭部の配列も整然と並ぶことになり、外観が良くなる。
【００１２】
請求項４に係る発明は、請求項１ないし請求項３のいずれか一つに記載のパチンコ遊技機において、上記各障害釘の頭部の下面に、遊技盤の盤面への打ち込み時に障害釘の頭部の偏心方向を制御するための突条部を軸部の外周から頭部の軸心方向に向かって延設する構成にする。この構成では、ＮＣ自動釘打ち機のヘッドに対し各障害釘の頭部の偏心方向を揃えて供給する場合、各障害物の頭部の下面に設けた突条部を例えば供給樋の溝に係合させることにより、各障害釘の頭部の偏心方向を揃えた供給が可能になる。
【発明の効果】
【００１３】
以上のように、本発明のパチンコ遊技機によれば、遊技盤の遊技領域に植設された障害釘の頭部が軸部の中心線に対して偏心しているため、障害釘の頭部の間隔や配列を正面から見るだけでは釘調整の状態を判断することはできず、釘読みが難しい分却って遊技者の釘読みに対する興趣を高めることができる。
【００１４】
特に、請求項２に係る発明では、入賞口の直上に植設された２本のいわゆる命釘の頭部の偏心方向が入賞口の中心を通る垂直な仮想線を挟んで互いに反対の外向きの場合と内向きの場合とでは実質上の命釘の間隔が同じでも見かけ上の命釘の間隔が著しく異なって見えるため、命釘の間隔が入賞口への遊技球の入賞確率に影響があることと相俟って遊技者の釘読みに対する興趣をより高めることができる。
【００１５】
請求項３に係る発明では、遊技球の直径よりも遙かに小さい間隔を有しかつ等間隔に並べて植設された複数本の障害釘がいずれも頭部の偏心方向を同一にして設けられているため、それらの頭部の配列を整然と並べることができ、外観を良くすることができる。また、他の命釘などと同一の障害釘を使用できるという利点もある。
【００１６】
さらに、請求項４に係る発明では、ＮＣ自動釘打ち機のヘッドに対し各障害釘の頭部の偏心方向を揃えて供給する場合、各障害物の頭部の下面に設けた突条部を利用することで各障害釘の頭部の偏心方向を揃えた供給が可能になるので、実施化を図る上で有効なものである。
【発明を実施するための最良の形態】
【００１７】
以下、本発明を実施するための最良の形態である実施形態を図面に基づいて説明する。
【００１８】
図１は本発明の一実施形態に係るパチンコ遊技機を示し、１は島側の木枠に固定される外枠、２はこの外枠１に向かって左側をヒンジ側として開閉可能に取り付けられた筐体であって、この筐体２は、遊技盤３を保持枠４で保持する構成になっている。
【００１９】
上記遊技盤３にはその遊技領域３ａを囲んでガイドレール５が設けられており、この遊技盤３の遊技領域３ａには中央電動役物６、始動入賞口７、可変入賞装置８、風車役物９及び普通入賞口１０がそれぞれ所定位置に配置されているとともに、遊技盤３の盤面に対し複数本の障害釘１１，１１，…が適宜植設されている。筐体２には、この遊技盤３を透過可能に覆うガラス面１２を有するフロントカバー１３が左側をヒンジ側として開閉可能に取り付けられているとともに、このフロントカバー１３の下側に発射ハンドル１４及び受け皿１５などが設けられており、この発射ハンドル１４の操作により遊技球を遊技盤３の遊技領域３ａに打ち出して遊技が行われる。
【００２０】
上記各障害釘１１は、図２に拡大詳示するように、先端を尖らせた軸部１１ａの基端に略半球形の頭部１１ｂが一体形成されてなり、この頭部１１ｂは、その中心線Ｓ１が軸部１１ａの中心線Ｓ２に対し所定量σ偏心して設けられている。ここで、障害釘１１は、通常、軸部１１ａの長さＬ１が３２ｍｍ、軸部１１ａの先端部１１ｃの長さＬ２が３ｍｍ、軸部１１ａの直径ｄ１が１．８５ｍｍ、頭部１１ｂの軸方向長さＬ３が１ｍｍ、頭部１１ｂの直径ｄ２が４．３ｍｍである。頭部１１ｂの偏心量σは０．３〜０．６ｍｍに設定されている。尚、上述した障害釘１１の各部の寸法並びに頭部１１ｂの偏心量σについては、必ずしもこの数値に限定されるものではない。因みに遊技者が目測で釘調整を判定できるのは、各自の熟練度にも依存するが、平均的には障害釘の頭部同士の間隔が１ｍｍ以上ずれている場合であるから、軸部１１ａに対する頭部１１ｂの偏心量σはその約半分程度とするのが好適である。偏心量σを極端に大きくすることは、障害釘の製造上の問題、遊技盤への釘打ち時の曲がりの問題などを招くので好ましくはない。
【００２１】
上記各障害釘１１の頭部１１ｂの偏心方向は、全て同一にする必要はなく、本実施形態の場合、障害釘１１の植設される部位毎に変更して設けられている。すなわち、始動入賞口７及び普通入賞口１０の直上にいわゆる命釘として植設された２本の障害釘１１，１１は、図３に示すように、各頭部１１ｂの偏心方向が入賞口７，１０を通る垂直線Ｆを挟んで互いに反対向きの外向き（図３（ａ）の状態）又は内向き（図３（ｂ）の状態）に設けられている。尚、図３中、２０は遊技球であり、命釘としての２本の障害釘１１，１１の間隔は、この遊技球２０が通過可能にその直径Ｄよりも僅かに大きく設定されている。
【００２２】
また、風車役物９などの役物又は入賞口７，１０の近傍で略直線状に又はアーチ状にかつ遊技球２０の直径Ｄよりも遙かに小さい間隔の等間隔で並んで植設された複数本の障害釘１１，１１，…は、図４に示すように、いずれも頭部１１ｂの偏心方向（図中矢の方向）が同一に設けられている。
【００２３】
従って、上記実施形態のパチンコ遊技機においては、遊技盤３の遊技領域３ａに植設された障害釘１１の頭部１１ｂが軸部１１ａの中心線Ｓ２に対し所定量σ偏心しているため、障害釘１１の頭部１１ｂの間隔や配列を正面から見るだけでは障害釘１１の軸部１１ａの間隔や配列によって定まる釘調整の状態を適切に判断することはできず、その分釘読みが難しくなる。このことは却って遊技者の釘読みに対する興趣を高め、ひいてはパチンコ遊技機の興趣をも高めることができる。
【００２４】
特に、始動入賞口７及び普通入賞口１０の直上に植設された２本の命釘１１，１１は、図３に示す如く各頭部１１ｂの偏心方向が入賞口７，１０の中心を通る垂直な仮想線Ｆを挟んで互いに反対の外向きの場合と内向きの場合とでは実質上の命釘１１の間隔（軸部１１ａの間隔）Ａが同じでも見かけ上の命釘１１の間隔（頭部１１ｂの間隔）Ｂ１，Ｂ２が著しく異なって見えるため（Ｂ１＞Ａ＞Ｂ２）、命釘１１の間隔が入賞口７，１０への遊技球２０の入賞確率に影響があることと相俟って遊技者の釘読みに対する興趣をより高めることができる。
【００２５】
また、風車役物９などの役物又は入賞口７，１０の近傍で遊技球２０の直径Ｄよりも遙かに小さい間隔を有しかつ等間隔に並んで植設された複数本の障害釘１１，１１，…は、図４に示す如くいずれも頭部１１ｂの偏心方向が同一に設けられているため、これらの頭部１１ｂの配列も整然と並ぶことになり、外観を良くすることができる。
【００２６】
さらに、上記各障害釘１１の頭部１１ｂの偏心量σを０．３〜０．６ｍｍに設定した場合には、障害釘１１の製造上からも、またＮＣ自動釘打ち機を用いて障害釘１１を遊技盤３に自動的に打ち付ける作業上などからも何等問題はなく、実施化を容易に図ることができる。
【００２７】
ここで、上記各障害釘１１は、頭部の偏心していない従来の障害釘（図７参照）の場合と同様に、ＮＣ自動釘打ち機によって遊技盤３に打ち付けられるが、この場合、障害釘１１の頭部１１ｂの偏心方向を自由に制御できるようにする必要がある。その具体的な手段としては、例えば釘打ち機のヘッドをその軸線回りに回転可能に設け、このヘッドに障害釘１１の頭部１１ｂの偏心方向が一定するように供給すれば良い。また、釘打ち機のヘッドに対して障害釘１１の頭部１１ｂの偏心方向が一定するように供給するとともに、釘打ち機のＸ−Ｙ方向に二次元移動可能なテーブル上に、遊技盤を保持しつつ鉛直方向であるＺ軸回りに旋回可能な旋回テーブルを設置し、この旋回テーブルの角度を調整しつつ、従来と同様な方法で釘打ちを行えば良い。
【００２８】
上述のように、ＮＣ自動釘打ち機のヘッドに対して障害釘１１の頭部１１ｂの偏心方向が一定するように供給するときには、図５に示すように、各障害釘１１の頭部１１ｂの下面に頭部１１ｂの偏心方向と同一方向に沿って延びる突条部２２を一体形成し、この突条部２２を供給樋の溝に係合させることにより、各障害釘１１の頭部１１ｂの偏心方向を揃えるようにすれば良い。
【００２９】
尚、本発明は上記実施形態に限定されるものではなく、その他種々の形態を包含するものである。例えば上記実施形態では、障害釘１１の軸部１１ａは、その先端に尖った先端部１１ｃを有するだけの構造のものについて述べたが、本発明は、障害釘１１の軸部１１ａに、障害釘１１を打ち付けたときの抜け防止のためのねじ部を設けたものにも同様に適用することができる。
【００３０】
また、上記実施形態では、入賞口７，１０の直上に命釘として植設された２本の障害釘１１，１１を、各頭部１１ｂの偏心方向が入賞口７，１０の中心を通る垂直な仮想線Ｆを挟んで互いに反対の外向き又は内向きにして設けたが、本発明は、２本の命釘１１，１１の各頭部１１ｂの偏心方向としては、これに限らず、例えば図６（ａ）に示すように２本の命釘１１共に同じ方向（図では右向き）に設けたり、図６（ｂ）に示すように２本の命釘１１を上下反対方向に設けたりしてもよい。これらの場合、いずれも命釘１１の見かけ上の間隔（頭部１１ｂの間隔）は、実質上の間隔（軸部１１ａの間隔）Ａと同一になる。
【００３１】
さらに、上記実施形態では、１台のパチンコ遊技機の場合について述べたが、本発明は、同一機種の複数台のパチンコ遊技機の場合、それらの遊技盤に植設される障害釘の頭部の偏心方向としては、同一にしてもよく、遊技機毎に異なるようにしてもよい。特に、釘読みの要所に配置される命釘などの障害釘については、遊技機毎に異なるようにした場合には釘読みがより難しくなり、その分遊技者の釘読みに対する興趣を一層高めることができる。
【図面の簡単な説明】
【００３２】
【図１】本発明の実施形態に係るパチンコ遊技機の斜視図である。
【図２】上記パチンコ遊技機に用いられる障害釘を示し、（ａ）は正面図、（ｂ）は側面図である。
【図３】入賞口及びその直上の命釘の状態を示す正面図である。
【図４】風車役物及びその近傍に植設された障害釘の状態を示す正面図である。
【図５】障害釘の頭部付近を示し、（ａ）は側面図、（ｂ）は（ａ）のＸ−Ｘ線における断面図である。
【図６】命釘の頭部の別の偏心状態を示す正面図である。
【図７】従来例を示す図２相当図である。
【符号の説明】
【００３３】
３    遊技盤
３ａ  遊技領域
６    中央電動役物
７    始動入賞口
９    風車役物
１０    普通入賞口
１１    障害釘
１１ａ  軸部
１１ｂ  頭部
２２    突条部
Ｓ２    軸部の中心線
Ｆ    仮想線
σ    偏心量
【図１】
2007301108.tif 000003
【図２】
2007301108.tif 000004
【図３】
2007301108.tif 000005
【図４】
2007301108.tif 000006
【図５】
2007301108.tif 000007
【図６】
2007301108.tif 000008
【図７】
2007301108.tif 000009